Podtech/llm-jp-corpus-v4-ja_patent huggingface dataset:
(57)【特許請求の範囲】
【請求項１】
家屋の外壁に固定される据置台と、該据置台上に取り付けられる屋外設置機器と、この据置台と屋外設置機器とを連結固定する固定金具とからなるものに於いて、前記固定金具は、側面視Ｌ字状で垂直部分に形成されたネジ穴を介して屋外設置機器の側面下部後方或いは前方へのネジ止めと、水平部分の先端上部で内方に直角に折り曲げられた係止片を、屋外設置機器の側面下部に形成された係止穴に挿入することで、屋外設置機器と連結し、水平部分に形成された複数のネジ穴の内２つを使って据置台の側壁板に２本のネジでネジ止めされることで、据置台に固定された事を特徴とする屋外設置機器の設置装置。
【発明の詳細な説明】
【技術分野】
【０００１】
この発明は、屋外設置型の石油やガス給湯器或いはエアコン等の機器で、家屋の外壁面に接近して設置するための設置装置に関するものである。
【背景技術】
【０００２】
従来よりこの種のものに於いては、据置台上に屋外設置機器を載せ置き、屋外設置機器に形成されたＬ型金具を据置台にネジで固定することで、屋外設置機器を据置台に固定するものであった。（特許文献１参照）
【先行技術文献】
【特許文献】
【０００３】
【特許文献１】特開２００４−３７６８号公報
【発明の概要】
【発明が解決しようとする課題】
【０００４】
ところでこの従来の設置装置では、据置台と屋外設置機器とは１本のネジで連結固定されているので、地震等で大きく揺れた場合、据置台側はネジ１本で固定していることから、前後方向の力がかかると、屋外設置機器と据置台の間に隙間が出来、屋外設置機器が傾いたり落下する危険を有するものであった。
【課題を解決するための手段】
【０００５】
この発明は上記の課題を解決する為に、特にその構成を、家屋の外壁に固定される据置台と、該据置台上に取り付けられる屋外設置機器と、この据置台と屋外設置機器とを連結固定する固定金具とからなるものに於いて、前記固定金具は、側面視Ｌ字状で垂直部分に形成されたネジ穴を介して屋外設置機器の側面下部後方或いは前方へのネジ止めと、水平部分の先端上部で内方に直角に折り曲げられた係止片を、屋外設置機器の側面下部に形成された係止穴に挿入することで、屋外設置機器と連結し、水平部分に形成された複数のネジ穴の内２つを使って据置台の側壁板に２本のネジでネジ止めされることで、据置台に固定されたものである。
【発明の効果】
【０００６】
以上のようにこの発明によれば、屋外設置機器と据置台とは、両側方の固定金具で連結固定されるもので、固定金具の上側前後でネジ止めと係止片によって屋外設置機器と連結し、固定金具の下側前後で２本のネジによるネジ止めで据置台に固定されているので、連結が極めて強固となり、地震等で大きく揺れて前後方向に力がかかっても、屋外設置機器が傾いたり落下する心配がなく、安心して使用出来るものである。
【図面の簡単な説明】
【０００７】
【図１】この発明の一実施形態の据置台の斜視図。
【図２】同据置台上の屋外設置機器を固定する固定金具の分解斜視図。
【図３】同要部の拡大分解斜視図。
【図４】同要部の説明図。
【図５】同固定金具の正面図。
【図６】同固定金具の側面図。
【図７】同固定金具の平面図。
【図８】他の実施形態を示すもので固定金具を左右及び前後を逆にした分解斜視図。
【図９】同要部の説明図。
【発明を実施するための形態】
【０００８】
次にこの発明の一実施形態における屋外設置機器の設置装置を示された図面に基づいて説明する。
１は石油給湯機からなる屋外設置機器であり、家屋の外壁２の近傍に設置されて燃料配管や給水、給湯の各種配管（図示せず）が接続されるものである。
３は家屋の外壁２に固定され屋外設置機器１を載置した据置台で、外壁２側に備えられたＬ型材からなる２本の支柱４と、該支柱４の上端から外側に突き出された２本の支持材５と、この２本の支持材５間に掛け渡された上面の後方と背面の一部を覆うように直角に折り曲げられた後方載置板６と、前方に掛け渡された前方載置板７と、２本の支持材５の先端と支柱４とを結んで補強する２本の補強材８とから構成されており、２本の支持材５には等間隔に形成された複数のネジ穴９が設けられている。
【０００９】
１０は据置台３上に載置された屋外設置機器１と該据置台３とを連結固定する側面視Ｌ字状で２個の固定金具で、Ｌ字状の突出した垂直部分には屋外設置機器１の側面下端で後側にネジ１１で、位置を調節しながらネジ止め可能とするための横長のネジ穴１２が形成されており、水平部分の先端上部には、屋外設置機器１の側面下部に形成された係止穴１３に挿入される内方に直角に折り曲げられた係止片１４が形成され、更にＬ字状の水平部分の下側には支持材５のネジ穴９と同間隔の５個のネジ穴１５が形成され、その内の前後端の２ヶ所をネジ１６、１７でネジ止めすることで、据置台３と連結固定されて屋外設置機器１を該据置台３に設置固定するもので、この据置台３と固定金具１０で設置装置を構成するものである。
【００１０】
次にこの設置装置による屋外設置機器１の設置手順を説明する。
先ず据置台３を屋外設置機器１を設置したい外壁２にアンカーボルトや強固なボルト等を使用して強固に固定した後、この据置台３の後方載置板６と前方載置板７の上に屋外設置機器１を載置し、左右どちらか一方の側面に固定金具１０を当て、屋外設置機器１の側面下部に形成された係止穴１３に係止片１４を挿入しながら、横長のネジ穴１２の長さ分で屋外設置機器１の側面下端で後側のネジ穴１８と、固定金具１０の水平部分下側の５個のネジ穴１５と支持材５のネジ穴９とが合致するように移動調節し、そして合致した所でネジ１１でネジ止めし、最後にネジ１６、１７でネジ止めした後、残りの側面に同じく固定金具１０を固定すれば、屋外設置機器１の設置は完了するものである。
【００１１】
このように屋外設置機器１と据置台３とは、両側方の固定金具１０で連結固定されるもので、固定金具１０の上側前後でネジ止めと係止片１４によって屋外設置機器１と連結し、固定金具１０の下側前後で２本のネジ１６、１７によるネジ止めで据置台３に固定されているので、連結が極めて強固となり、地震等で大きく揺れて前後方向に力がかかっても、屋外設置機器１が傾いたり落下する心配がなく、長期に渡って安心して使用出来るものである。
【００１２】
次に図８、図９に示す他の実施形態について説明すると、固定金具１０を左右逆にして、屋外設置機器１の側面下端で後側のネジ穴１８ではなく、屋外設置機器１の側面下端で前側のネジ穴１９にネジ１１で固定金具１０をネジ止めしたものであり、ここれでも強固に連結固定されるもので、同様な効果を得ることが出来るものである。
【符号の説明】
【００１３】
１  屋外設置機器
２  外壁
３  据置台
１０  固定金具
９、１２、１５、１８、１９  ネジ穴
１３  係止穴
１４  係止片
１１、１６、１７  ネジ
【図１】
0006329498.tif 000002
【図２】
0006329498.tif 000003
【図３】
0006329498.tif 000004
【図４】
0006329498.tif 000005
【図５】
0006329498.tif 000006
【図６】
0006329498.tif 000007
【図７】
0006329498.tif 000008
【図８】
0006329498.tif 000009
【図９】
0006329498.tif 000010
(57)【特許請求の範囲】
【請求項１】
両端に開口部を有する円錐台筒状に形成されたコーヒードリッパー本体部と、
前記コーヒードリッパー本体部の内側側面に形成された複数の台形柱と、
前記コーヒードリッパー本体部の内側側面の下部に、垂直方向に形成された凹部と、
前記開口部のうち、抽出液流出側開口部の周部に形成された複数の切欠きと、
を備えるコーヒードリッパー。
【発明の詳細な説明】
【技術分野】
【０００１】
本発明は、濾紙（ペーパーフィルター）を使用してコーヒーを抽出するコーヒードリッパーに関する。
【背景技術】
【０００２】
従来、コーヒードリッパーで、コクのある美味しいコーヒーを抽出するには、ペーパーフィルター内でコーヒー粉を入れて適量の湯を注ぎ、コーヒー粉全体を湯で膨張させる蒸らしを十分に行うのが良いとされている。
【０００３】
焼きたての豆は、炭酸ガスを含んでいる。蒸らした時に、焼きたての豆だとプクッと「おまんじゅう」のように膨れる。この現象は、炭酸ガスによるものであり、鮮度が高いことを証明するものでもある。
この炭酸ガスは、味覚上は、雑味であるため、粉全体に湯を注ぎ、しばらくその熱でコーヒー粉粒の中にある炭酸ガスを追い出すことが必要となる。これが、「蒸らし」という工程である。
しかし、蒸らす工程で、パーパーフィルターからコーヒードリッパー内部の接地する面積が大きいと、炭酸ガスが抜けないという欠点がある。
【０００４】
また、パーパーフィルターからコーヒードリッパー内部の接地する面積が大きいと、直ぐに、コーヒーが流下してしまうという問題点がある。
【０００５】
更に、湯の重さでペーパーフィルターに余計なテンションがかかるという問題点もある。
【０００６】
この問題を解決するために、特開２０１４‐１０４１５５号が開示されている。この発明では、抽出時間のバラツキをなくすため、複数の四角錐を備えることを特徴とする。
しかし、これだと、蒸らされたペーパーフィルターに水分が多く含まれるため、四角錐の先端が尖っていることから、ペーパーフィルターが破ける可能性がある。
また、抽出したコーヒーを、一旦、溜めておく箇所があると、流下の速度を遅くできるので、好ましい。
この点、実用新案登録第３０７８７９７号では、液溜空間を形成することが開示されている。
しかし、この構造だと逆に、拡大部にコーヒーが溜まりすぎて、流下の速度が遅すぎることが分かった。
【先行技術文献】
【特許文献】
【０００７】
【特許文献１】特開２０１４‐１０４１５５号公報
【特許文献２】実用新案登録第３０７８７９７号
【発明の概要】
【発明が解決しようとする課題】
【０００８】
コーヒー粉を湯で蒸らす際に発生する炭酸ガスを無理なく逃すことを可能にするための構造が、四角錐ではなく、台形柱の方がより良い効果があることが分かった。
また、流下したコーヒーを、一旦、コーヒードリッパーの底部で溜め、流下スピードを緩やかにする構造が必要である。すなわち、広すぎない液溜空間は、拡大部を作るのではなく、垂直方向に液溜空間を設けることが好ましいことが分かった。
また、コーヒードリッパー底部の開口部において、ペーパーフィルターに余計なテンションがかかるのを軽減するための手段を設ける必要があった。
この点は、先行技術文献を発見しなかった。
【課題を解決するための手段】
【０００９】
上記課題を解決するため、本発明のコーヒードリッパーは、両端に開口部を有する円錐台筒状に形成されたコーヒードリッパー本体部と、この本体部の内側側面に形成された複数の台形柱と、この本体部の内側側面の下部に、垂直方向に形成された凹部と、開口部のうち、抽出液流出側開口部の周部に形成された複数の切欠きと、を備える。
【発明の効果】
【００１０】
本発明のコーヒードリッパーによれば、内部に、水平方向と垂直方向に、台形の形をした構造物を設けることで、ペーパーフィルターとの接地面積を小さくする構造となり、かつ、凹部があることでコーヒーの流下の速度を遅くできる。そして、複数の切欠部を備えることで、ペーパーフィルターが点で固定され、余計なテンションがかかるのを軽減することができ、中心部、側面部それぞれからスムーズにむらなく均一なコーヒーを抽出できる。
【図面の簡単な説明】
【００１１】
【図１】本実施形態に係るコーヒードリッパーの斜視図である。
【図２】図１のコーヒードリッパーの台形柱の上面がペーパーフィルターと接している様子を示す部分断面図である。
【図３】図１のコーヒードリッパーの切欠部の頂部がペーパーフィルターと接する様子を示す部分断面図である。
【発明を実施するための形態】
【００１２】
以下、添付図面を参照して、本発明のコーヒードリッパーの実施形態について説明する。図面は、実施形態を説明するため、一部分を大きくまたは強調して記載するなど適宜縮尺を変更して表現している。以下の各図に示すＸ軸およびＹ軸において、コーヒードリッパーの鉛直方向の中心線をＸとし、水平方向をＹとする。
【００１３】
図１は、本実施形態に係るコーヒードリッパー１の斜視図である。コーヒードリッパー１の内部構造は、ペーパーフィルターとの接地面積を小さくするために、台形柱２の構造物を水平方向と垂直方向に設置するように複数設けてある。また、コーヒードリッパー本体部の内側側面の下部に形成された凹部３で、一旦、抽出されたコーヒーを溜めるスペースを作ることで、抽出液の流下の速度を抑える。さらに、抽出液流出側開口部の周部に形成された複数の切欠部４により、ペーパーフィルターを複数の点で支えることになり、ペーパーフィルターに余計なテンションがかかるのを軽減し、中心部、側面部それぞれからスムーズにむらなくコーヒーを抽出することができる。
【００１４】
図２は、コーヒードリッパー１の部分断面図である。台形柱２とペーパーフィルター５の接地面積を小さくしている。また、凹部３は、垂直方向となっているが、ここに傾斜は設けていない。
【００１５】
図３は、切欠部４の頂部が、パーパーフィルター５に接している状態であり、ペーパーフィルター５を複数の点でしっかりと保持することにしている。この切欠部４は、ペーパーフィルター５を保持するため少なくとも２か所設けていればよい。しかし、実際にペーパーフィルター５に余計なテンションがかかるのを軽減し、中心部と側面部それぞれからスムーズに抽出液を得るためには、８か所以上の切欠きがあることが望ましい。本実施形態では、切欠き部４の構造は三角形になっているが、ペーパーフィルター５をセットできる構造であれば、円形や四角形などの多角形であっても良い。
【符号の説明】
【００１６】
１  コーヒードリッパー
２  台形柱
３  凹部
４  切欠部
５  ペーパーフィルター
【図１】
0006368260.tif 000002
【図２】
0006368260.tif 000003
【図３】
0006368260.tif 000004